(57)【特許請求の範囲】
【請求項１】
脱着可能な表面コイルを備えて被検体から放出される核磁気共鳴信号を受信する受信手段と、
前記受信手段の動作を制御する制御手段と、
前記表面コイルと該表面コイルの動作を規定するコイルモードとの対応関係を記憶する情報保持手段と、
前記対応関係に基づいて全コイルモードの中から所定の判断基準を満たすコイルモードを選択する選択手段と、
前記選択手段により選択されたコイルモードを表示する表示手段と、
を有することを特徴とする核磁気共鳴イメージング装置。
【請求項２】
請求項１に記載の磁気共鳴イメージング装置において、
前記所定の判断基準は、前記表面コイルの接続状態であることを特徴とする核磁気共鳴イメージング装置。
【請求項３】
請求項１又は２に記載の磁気共鳴イメージング装置において、
前記所定の判断基準は、前記被検体の撮像部位と計測位置であることを特徴とする核磁気共鳴イメージング装置。
【請求項４】
請求項１乃至３のいずれか一項に記載の磁気共鳴イメージング装置において、
前記所定の判断基準は、前記表面コイル・コイルモードの使用頻度情報であることを特徴とする核磁気共鳴イメージング装置。
【請求項５】
請求項１乃至４のいずれか一項に記載の磁気共鳴イメージング装置において、
前記所定の判断基準は、前記表面コイルの各コイルモードのプロトコル別使用頻度情報であることを特徴とする核磁気共鳴イメージング装置。
【請求項６】
請求項１乃至５のいずれか一項に記載の磁気共鳴イメージング装置において、
前記所定の判断基準が複数設けられ、ユーザの動作に基づいて前記所定の判断基準が決定されることを特徴とする核磁気共鳴イメージング装置。
【請求項７】
脱着可能な表面コイルが設けられ被検体から放出される核磁気共鳴信号を受信する受信手段と、
前記受信手段の動作を制御する制御手段と、
前記表面コイルと該表面コイルの動作を規定するコイルモードとの対応関係を記憶する情報保持手段と、
を備え、
前記対応関係に基づいて全コイルモードの中から所定の判断基準を満たすコイルモードを選択する選択ステップと、
前記選択ステップにより選択されたコイルモードを表示する表示ステップと、
を有することを特徴とする磁気共鳴イメージング装置における表面コイルの選択方法。
【発明の詳細な説明】
【技術分野】
【０００１】
本発明は、被検体中の水素や燐等からの核磁気共鳴（以下、「ＮＭＲ」という）信号を測定し、核の密度分布や緩和時間分布等を画像化する核磁気共鳴イメージング（以下、「ＭＲＩ」という）装置に関し、特に表面コイル・表面コイルモード選択方法の技術に関する。
【背景技術】
【０００２】
ＭＲＩ装置は、被検体、特に人体の組織を構成する原子核スピンが発生するＮＭＲ信号を計測し、その頭部、腹部、四肢等の形態や機能を２次元的に、或いは３次元的に画像化する装置である。撮影においては、ＮＭＲ信号には、傾斜磁場によって異なる位相エンコードが付与されるとともに周波数エンコードされて、時系列データとして計測される。計測されたＮＭＲ信号は、２次元又は３次元フーリエ変換されることにより画像に再構成される。
【０００３】
このようなＭＲＩ装置による撮像において、撮影対象部位毎に最適な表面コイルを用いることによって、より高精度な画像を取得している。従って、撮影対象部位毎に表面コイル・コイルモードの構成は異なり、複数の表面コイル・コイルモードが使用可能となっている。
撮影で使用する表面コイル・コイルモードの自動認識・設定として、特許文献１や特許文献２に示されるように、接続中の表面コイルの付随番号を用いるなどの方法がとられている。
【０００４】
自動設定に対して、ユーザが任意の表面コイル・コイルモードを設定する場合、設定可能な表面コイル・コイルモード一覧からの設定が必要となる。しかし、表面コイル数の増大・複雑化によって、任意設定時のユーザに対する負担が増加している。
【先行技術文献】
【特許文献】
【０００５】
【特許文献１】特開平２−２５７９３８号公報
【特許文献２】特開平６−２０１８０９号公報
【発明の概要】
【発明が解決しようとする課題】
【０００６】
撮像に用いる表面コイル・コイルモードをユーザが任意で設定する場合、当該ＭＲＩ装置で使用可能な表面コイル・コイルモードの一覧から選択していた。撮像条件の複雑化に伴い、表面コイル・コイルモードが増加し、表面コイル・コイルモードの一覧から所望の表面コイル・コイルモードを選択するのにユーザの負担が多大となっている。
【０００７】
そこで、本発明は、ユーザが任意の表面コイル・表面コイルモードを設定する場合、当該ＭＲＩ装置で使用可能な全表面コイル・コイルモードから内部基準を用いて一部抜粋し、表面コイル・コイルモードの選択を容易とすることを目的とする。
【課題を解決するための手段】
【０００８】
上記目的を達成するために、本願発明のうち、代表的なものの概要を簡単に説明すると、次の通りとなる。
【０００９】
静磁場空間を発生する静磁場発生手段と、静磁場空間に置かれた被検体に高周波を照射する照射手段と、静磁場空間に重畳して勾配磁場を印加する傾斜磁場発生手段と、静磁場発生手段と傾斜磁場発生手段を覆う外装カバーと、被検体から放出される核磁気共鳴信号を受信する受信手段と、受信手段の動作を制御する制御手段と、制御手段に用いる情報を表示する表示手段と、情報を保持する情報保持手段とを備える磁気共鳴イメージング装置において、受信手段は、外装カバーの内側で被検体の撮像を行う撮像空間側に配置された受信コイルと撮像対象や撮像条件に応じて脱着可能な表面コイルとを有し、情報保持手段に記憶された所定の判断基準を満たす表面コイルと該表面コイルの動作を規定するコイルモードとの対応関係を示す対応表に基づいて、磁気共鳴イメージング装置で使用可能な全コイルモードの中から、該全コイルモードより少ない数の所定の判断基準を満たすコイルモードを選択する選択手段と、該選択手段により選択されたコイルモードを表示する表示手段とを有することを特徴とする磁気共鳴イメージング装置である。
【００１０】
あるいは、静磁場空間を発生する静磁場発生手段と、静磁場空間に置かれた被検体に高周波を照射する照射手段と、静磁場空間に重畳して勾配磁場を印加する傾斜磁場発生手段と、静磁場発生手段と傾斜磁場発生手段を覆う外装カバーと、外装カバーの内側で被検体の撮像を行う撮像空間側に配置された受信コイルと撮像対象や撮像条件に応じて脱着可能な表面コイルが設けられ被検体から放出される核磁気共鳴信号を受信する受信手段と、受信手段の動作を制御する制御手段と、制御手段に用いる情報を表示する表示手段と、情報を保持する情報保持手段とを備えた磁気共鳴イメージング装置における表面コイルの選択方法であって、情報保持手段に記憶された所定の判断基準を満たす表面コイルと該表面コイルの動作を規定するコイルモードとの対応関係を示す対応表に基づいて、磁気共鳴イメージング装置で使用可能な全コイルモードの中から、該全コイルモードより少ない数の所定の判断基準を満たすコイルモードを選択する選択ステップと、該選択ステップにより選択されたコイルモードを表示する表示ステップとを有することを特徴とする表面コイルの選択方法である。
【００１１】
即ち、ユーザが任意の表面コイル・コイルモードを設定する場合に、当該ＭＲＩ装置で使用可能な全表面コイル・コイルモードから、内部基準を基に、一部抜粋し、ユーザへ提示することを特徴とする。
【発明の効果】
【００１２】
本発明のＭＲＩ装置によれば、撮影に用いる表面コイル・コイルモードをユーザが任意に設定する場合、使用可能な一部の表面コイル・コイルモードのみが表示される為、容易に所望の表面コイルを選択することが出来る。
【図面の簡単な説明】
【００１３】
【図１】本発明に係るＭＲＩ装置の全体基本構成の斜視図。
【図２】第１の実施形態における処理の流れを示す図。
【図３】第２の実施形態における処理の流れを示す図。
【図４】第３の実施形態における処理の流れを示す図。
【図５】第３の実施形態におけるコイル並び替えの例を示す図。
【図６】第４の実施形態における処理の流れを示す図。
【図７】第５の実施形態における処理の流れを示す図。
【図８】第６の実施形態における処理の流れを示す図。
【図９】部位対応表面コイルおよびコイルモードの種類を示す図。
【発明を実施するための形態】
【００１４】
以下、添付図面に従って本発明のＭＲＩ装置の好ましい実施形態について詳説する。なお、発明の実施形態を説明するための全図において、同一機能を有するものは同一符号を付け、その繰り返しの説明は省略する。
【００１５】
最初に、本発明に係るＭＲＩ装置の一例の全体概要を図１に基づいて説明する。
図１は、本発明に係るＭＲＩ装置の一実施例の全体構成を示すブロック図である。このＭＲＩ装置は、ＮＭＲ現象を利用して被検体の断層画像を得るもので、図１に示すように、ＭＲＩ装置は静磁場発生系2と、傾斜磁場発生系3と、送信系5と、受信系6と、信号処理系7と、シーケンサ4と、中央処理装置（ＣＰＵ）8とを備えて構成される。
【００１６】
なお、静磁場発生系2は静磁場発生手段を備え、傾斜磁場発生系3は傾斜磁場発生手段を備えている。また、静磁場発生手段と傾斜磁場発生手段とはガントリーの外装カバー（図示せず）で覆われている。
【００１７】
静磁場発生系2は、垂直磁場方式であれば、被検体1の周りの空間にその体軸と直交する方向に、水平磁場方式であれば、体軸方向に均一な静磁場を発生させるもので、被検体1の周りに永久磁石方式、常電導方式あるいは超電導方式の静磁場発生源が配置されている。
【００１８】
傾斜磁場発生系3は、ＭＲＩ装置の座標系（静止座標系）であるＸ、Ｙ、Ｚの３軸方向に巻かれた傾斜磁場コイル9と、それぞれの傾斜磁場コイルを駆動する傾斜磁場電源10とから成り、後述のシ−ケンサ4からの命令に従ってそれぞれのコイルの傾斜磁場電源10を駆動することにより、Ｘ、Ｙ、Ｚの３軸方向に傾斜磁場Ｇｘ、Ｇｙ、Ｇｚを印加する。撮影時には、スライス面（撮影断面）に直交する方向にスライス方向傾斜磁場パルス（Ｇｓ）を印加して被検体1に対するスライス面を設定し、そのスライス面に直交して且つ互いに直交する残りの２つの方向に位相エンコード方向傾斜磁場パルス（Ｇｐ）と周波数エンコード方向傾斜磁場パルス（Ｇｆ）を印加して、エコー信号にそれぞれの方向の位置情報をエンコードする。
【００１９】
シーケンサ4は、高周波磁場パルス（以下、「ＲＦパルス」という）と傾斜磁場パルスをある所定のパルスシーケンスで繰り返し印加する制御手段で、ＣＰＵ8の制御で動作し、被検体1の断層画像のデータ収集に必要な種々の命令を送信系5、傾斜磁場発生系3、および受信系6に送る。
【００２０】
送信系5は、被検体1の生体組織を構成する原子の原子核スピンに核磁気共鳴を起こさせるために、被検体１にRFパルスを照射するもので、高周波発振器11と変調器12と高周波増幅器13と送信側の高周波コイル（送信コイル）14aとから成る。高周波発振器11から出力された高周波パルスをシーケンサ4からの指令によるタイミングで変調器12により振幅変調し、この振幅変調された高周波パルスを高周波増幅器13で増幅した後に被検体1に近接して配置された高周波コイル14aに供給することにより、RFパルスが被検体1に照射される。
【００２１】
受信系6は、被検体1の生体組織を構成する原子核スピンの核磁気共鳴により放出されるエコー信号（ＮＭＲ信号）を検出するもので、受信側の高周波コイル（受信コイル）14bと信号増幅器15と直交位相検波器16と、Ａ／Ｄ変換器17とから成る。なお、受信コイルは、ガントリーの外装カバーの内側、即ち、被検体１の撮像が行われる撮像空間側に配置されている。送信側の高周波コイル14aから照射された電磁波によって誘起された被検体1の応答のＮＭＲ信号が被検体1に近接して配置された高周波コイル14bで検出され、信号増幅器15で増幅された後、シーケンサ4からの指令によるタイミングで直交位相検波器16により直交する二系統の信号に分割され、それぞれがＡ／Ｄ変換器17でディジタル量に変換されて、信号処理系7に送られる。
【００２２】
信号処理系７は、各種データ処理と処理結果の表示及び保存等を行うもので、光ディスク19、磁気ディスク18等の外部記憶装置と、ＣＲＴ等からなるディスプレイ20とを有し、受信系6からのデータがＣＰＵ8に入力されると、ＣＰＵ8が信号処理、画像再構成等の処理を実行し、その結果である被検体1の断層画像をディスプレイ20に表示すると共に、外部記憶装置の磁気ディスク18等に記録する。
【００２３】
操作部25は、ＭＲＩ装置の各種制御情報や上記信号処理系7で行う処理の制御情報を入力するもので、トラックボール又はマウス23、及び、キーボード24から成る。この操作部25はディスプレイ20に近接して配置され、操作者がディスプレイ20を見ながら操作部25を通してインタラクティブにＭＲＩ装置の各種処理を制御する。
【００２４】
なお、図１において、送信側の高周波コイル14aと傾斜磁場コイル9は、被検体1が挿入される静磁場発生系2の静磁場空間内に、垂直磁場方式であれば被検体1に対向して、水平磁場方式であれば被検体１を取り囲むようにして設置されている。また、受信側の高周波コイル14bは、被検体1に対向して、或いは取り囲むように設置されている。
【００２５】
現在ＭＲＩ装置の撮像対象核種は、臨床で普及しているものとしては、被検体の主たる構成物質である水素原子核（プロトン）である。プロトン密度の空間分布や、励起状態の緩和時間の空間分布に関する情報を画像化することで、人体頭部、腹部、四肢等の形態または、機能を２次元もしくは３次元的に撮像する。
＜第１の実施形態＞
次に、本発明の第1の実施形態について図２を用いて説明する。
ユーザが撮影に用いる表面コイル・コイルモードの選択を開始したときに、システムはＭＲＩ装置に接続されている単一、もしくは複数の表面コイルを判断する。ここで、システムは、図１で示すＣＰＵ8を含む処理系を指すものとする。
また、ここで用いる「コイルモード」の意味は、本願の技術分野で通常使用されている用語と特に異なるもではないが、以下を意味するものとする。ＭＲＩ装置に表面コイルがアタッチメントとして取り付けられる。この表面コイルは、複数の撮像部位に対応すべく比較的広範囲の信号を受信できる構造となっているが、その複数部位の中の特定部位を特に感度良く受信したい場合に用いられる。この表面コイルは、目的部位に応じたコイル領域のみをオン状態とし、その他の領域はオフ状態となるようにスイッチの切り替えを行う。このように、目的部位に応じて適当なコイルに切り換える内部設定をコイルモードということにする。
【００２６】
図９は、部位とその部位に対応した表面コイル、および各表面コイルに対応して設定されたコイルモードの例を示す。撮影対象部位毎に対応した最適な表面コイルを用いることによって、より高精度な画像を取得する必要がある。例えば、部位として頭部を撮像する場合、先ず、図７に従って表面コイル（１）が選択される。次に、複数のコイルモードからより高精度な画像を取得できるコイルモード、例えばモードＡ２が決定される。
【００２７】
システムは接続状態の判断後、現接続状態で使用可能な表面コイル・コイルモードのユーザ提示リストを作成し、ユーザへ提示する。ユーザは提示されたリストから撮像に用いる表面コイル・コイルモードを選択する。
【００２８】
図２に、本第１の実施形態における処理の流れを示す。先ず、図１で示す信号処理系7に記憶されたデータに基づいてＣＰＵ8において表面コイル・コイルモードの選択が開始される（２０１）。次に、ユーザ提示リストが作成される（２０２）。作成に当たって、表面コイル接続状態の確認（２０２ａ）を行い、引き続いて、確認された接続状態を基準として表面コイル・コイルモードリストが作成される（２０２ｂ）。次に、ユーザに対してディスプレイ20画面上に、表面コイル・コイルモードリストが提示される（２０３）。ユーザは、ディスプレイ20画面上に提示されたリストから撮像に用いる表面コイル・コイルモードを選択する（２０４）。
【００２９】
本発明によれば、使用可能な一部の表面コイル・コイルモードのみが表示される、即ち、数の多い全コイルモードより少ない数のコイルモードに絞込みがなされる為、ＭＲＩ装置で使用可能な全表面コイル・コイルモードの中から、ユーザは容易に所望の表面コイルを選択することが出来る。
【００３０】
また、本発明によれば、表示される表面コイル・コイルモードのリストから、接続構成・撮像条件の不備を確認することが出来る効果がある。
＜第２の実施形態＞
次に、第２の実施形態について図を用いて説明する。第１の実施形態と異なる点は、ユーザへ提示する表面コイル・コイルモードリスト作成時に、撮影部位を基準とし、内部保持情報を取得する点である。
【００３１】
以下、異なる箇所のみ説明し、同じ箇所の説明は省略する。
各撮像部位で主に使用する表面コイル・コイルモード一覧を内部に保持する。保持は、処理系7の記憶装置で行われる。例えば、磁気ディスク18などが保持に用いられる。ユーザが撮影に用いる表面コイル・コイルモードの選択を開始したときに、システムは撮影部位を判断する。システムは該当の撮影部位と対応する表面コイル・コイルモード一覧を内部保持情報から取得し、ユーザへ提示する。
【００３２】
図３に、本第２の実施形態における処理の流れを示す。
先ず、図１で示す信号処理系7に記憶されたデータに基づいてＣＰＵ8において表面コイル・コイルモードの選択が開始される（３０１）。次に、ユーザ提示リストが作成される（３０２）。作成に当たって、撮像部位の判断が行われる（３０２ａ）。引き続いて、判断された撮像部位を基準として表面コイル・コイルモードリストが作成される（３０２ｂ）。その際に、磁気ディスク18などに保持された撮像部位と対応する表面コイル・コイルモード一覧に基づいて（３０２ｃ）、表面コイル・コイルモードリストが作成される。
【００３３】
次に、ユーザに対してディスプレイ20画面上に、表面コイル・コイルモードリストが提示される（３０３）。ユーザは、ディスプレイ20画面上に提示されたリストから撮像に用いる表面コイル・コイルモードを選択する（３０４）。
【００３４】
本発明によれば、使用可能な一部の表面コイル・コイルモードのみが表示される為、ＭＲＩ装置で使用可能な全表面コイル・コイルモードの中から、ユーザは容易に所望の表面コイルを選択することが出来る。
＜第３の実施形態＞
次に、第３の実施形態について図を用いて説明する。第１の実施形態および第２の実施形態と異なる点はユーザへ提示する表面コイル・コイルモードリスト並び替え実施時に、表面コイル・コイルモードの計測担当位置と撮像体位を用いて並び替えを行う点である。以下、異なる箇所のみ説明し、同じ箇所の説明は省略する。
【００３５】
システムは表面コイル・コイルモードと、撮像対象部位の対応表を内部に保持する。保持は、処理系7の記憶装置で行われる。例えば、磁気ディスク18などが保持に用いられる。システムはユーザへ提示する表面コイル・コイルモードリストの作成後、ユーザ提示リスト内にある表面コイル・コイルモードが担当する計測部位を内部保持情報から取得する。撮像体位を考慮し、担当する計測部位を基準に表面コイル・コイルモードの並び替えを行う。
【００３６】
図４は、第３の実施形態における処理の流れを示す。
先ず、図１で示す信号処理系7に記憶されたデータに基づいてＣＰＵ8において表面コイル・コイルモードの選択が開始される（４０１）。次に、ユーザ提示リストが作成される（４０２）。次に、ユーザ提示リストの並べ替えが実施される（４０３）。作成に当たって、リスト内の表面コイル・コイルモードと対応する計測位置を取得する（４０３ａ）。引き続いて、取得した計測位置と撮像体位を基準として表面コイルモードの並べ替えを行う（４０３ｂ）。その際に、磁気ディスク18などに保持された表面コイル・コイルモードと計測位置対応表に基づいて（４０３ｃ）、対応する計測位置が取得される。次に、ユーザに対してディスプレイ20画面上に、表面コイル・コイルモードリストが提示される（４０４）。ユーザは、ディスプレイ20画面上に提示されたリストから撮像に用いる表面コイル・コイルモードを選択する（４０５）。
【００３７】
また、図５は、並び替えの例を示す。
【００３８】
図４の処理の流れ４０２で示したユーザ提示リストを、図５中の５０１に示す。図４の４０３ｃで示した対応表は、５０３に相当する。５０３の対応表を用いて、コイルと計測位置の関連付けを行い（５０２）、それに基いて関連付け済みリストが作成される（５０４）。
【００３９】
次に、図１で示すように、被検体1が撮像領域に搬送される際に、被検体の頭から先に搬送される場合（頭先体位）と、被検体の足先から先に搬送される場合（足先体位）とが想定される。例えば、頭先体位の場合は、５０６で示すユーザ提示リストが表示される。
あるいは、足先体位の場合は、５０７で示すユーザ提示リストが表示される。
【００４０】
このように並べ替えるメリットは、被検体が撮像される撮像順に使用される表面コイルが並べられていると、ユーザにとって、見やすく便利である点である。
＜第４の実施形態＞
次に、第４の実施形態について図を用いて説明する。第１の実施形態、第２の実施形態、および第３の実施形態と異なる点はユーザへ提示する表面コイル・コイルモードリスト並び替え実施時に、表面コイル・コイルモードの使用頻度を用いて並び替えを行う点である。以下、異なる箇所のみ説明し、同じ箇所の説明は省略する。
システムは各表面コイル・コイルモードの使用頻度を記録する表を内部に保持する。システムはユーザへ提示する表面コイル・コイルモードリストの作成後、ユーザ提示リスト内にある表面コイル・コイルモードの使用頻度を内部保持情報から取得する。使用頻度を基準に表面コイル・コイルモードの並び替えを行う。
【００４１】
図６には、第４の実施形態における処理の流れを示す。
先ず、図１で示す信号処理系7に記憶されたデータに基づいてＣＰＵ8において表面コイル・コイルモードの選択が開始される（６０１）。次に、ユーザ提示リストが作成される（６０２）。次に、ユーザ提示リストの並べ替えが実施される（６０３）。作成に当たって、リスト内の表面コイル・コイルモードの使用頻度情報を取得する（６０３ａ）。引き続いて、取得した使用頻度を基準として表面コイルモードの並べ替えを行う（６０３ｂ）。その際に、磁気ディスク18などに保持された表面コイル・コイルモードの使用頻度表に基づいて（６０３ｃ）、対応する使用頻度情報が取得される。次に、ユーザに対してディスプレイ20画面上に、表面コイル・コイルモードリストが提示される（６０４）。ユーザは、ディスプレイ20画面上に提示されたリストから撮像に用いる表面コイル・コイルモードを選択する（６０５）。
【００４２】
本発明によれば、使用可能な一部の表面コイル・コイルモードのみが表示される為、ＭＲＩ装置で使用可能な全表面コイル・コイルモードの中から、ユーザは容易に所望の表面コイルを選択することが出来る。
＜第５の実施形態＞
次に、第５の実施形態について図を用いて説明する。第１の実施形態、第２の実施形態、第３の実施形態、および第４の実施形態と異なる点はユーザへ提示する表面コイル・コイルモードリスト並び替え実施時に、選択プロトコル毎の表面コイル・コイルモードの使用頻度を用いて並び替えを行う点である。
以下、異なる箇所のみ説明し、同じ箇所の説明は省略する。
【００４３】
システムは各プロトコルにおける表面コイル・コイルモードの使用頻度を記録する表を内部に保持する。システムはユーザへ提示する表面コイル・コイルモードリストの作成後、ユーザ提示リスト内にある表面コイル・コイルモードの選択プロトコルにおける使用頻度を内部保持情報から取得する。使用頻度を基準に表面コイル・コイルモードの並び替えを行う。
【００４４】
図７には、第５の実施形態における処理の流れを示す。
先ず、図１で示す信号処理系7に記憶されたデータに基づいてＣＰＵ8において表面コイル・コイルモードの選択が開始される（７０１）。次に、ユーザ提示リストが作成される（７０２）。次に、ユーザ提示リストの並べ替えが実施される（７０３）。作成に当たって、リスト内の表面コイル・コイルモードのプロトコル別使用頻度情報を取得する（７０３ａ）。引き続いて、取得したプロトコル別使用頻度を基準として表面コイルモードの並べ替えを行う（７０３ｂ）。その際に、磁気ディスク18などに保持されたプロトコル別表面コイル・コイルモードの使用頻度表に基づいて（７０３ｃ）、対応するプロトコル別使用頻度情報が取得される。次に、ユーザに対してディスプレイ20画面上に、表面コイル・コイルモードリストが提示される（７０４）。ユーザは、ディスプレイ20画面上に提示されたリストから撮像に用いる表面コイル・コイルモードを選択する（７０５）。
【００４５】
本発明によれば、使用可能な一部の表面コイル・コイルモードのみが表示される為、ＭＲＩ装置で使用可能な全表面コイル・コイルモードの中から、ユーザは容易に所望の表面コイルを選択することが出来る。
＜第６の実施形態＞
次に、第６の実施形態について図を用いて説明する。第１の実施形態、第２の実施形態、第３の実施形態、第４の実施形態、および第５の実施形態と異なる点はリストの作成・および並び替えを複数回行う点である。
以下、異なる箇所のみ説明し、同じ箇所の説明は省略する。
【００４６】
システムは表示コイル・コイルモードの取捨選択・並び替えを、単一に限定せず、ユーザの動作に合わせ随時変更しながら実施する。
具体的には、被検者登録時は検査部位・撮像部位を考慮し、装置へのコイルセッティング時は接続したコイルを考慮し、撮像プロトコル選択時は、プロトコルでの使用頻度などを考慮する。ただし、ユーザの動作と考慮する基準の組み合わせは上記の例に限定しない。
【００４７】
図８には、第６の実施形態における処理の流れを示す。
先ず、ユーザの動作を決定する（８０１）。次に、決定されたユーザの動作に基づいて、８０２ａから８０２ｃまでの３通りのステップのいずれかに分岐される。例えば、８０２ａのステップが選択された場合は、撮像部位・体位を基準としたユーザ提示リストの作成が行われ（８０２ａ）、引き続いて、撮像部位・体位を基準としたユーザ提示リストの並べ替えが行われる（８０３ａ）。次に、ユーザに対してディスプレイ20画面上に、表面コイル・コイルモードリストが提示される（８０４）。
【００４８】
また、８０２ｂのステップが選択された場合は、コイル接続状態を基準としたユーザ提示リストの作成が行われ（８０２ｂ）、引き続いて、コイル接続状態を基準としたユーザ提示リストの並べ替えが行われる（８０３ｂ）。次に、ユーザに対してディスプレイ20画面上に、表面コイル・コイルモードリストが提示される（８０４）。
【００４９】
また、８０２ｃのステップが選択された場合は、使用プロトコルを基準としたユーザ提示リストの作成が行われ（８０２ｃ）、引き続いて、使用プロトコルを基準としたユーザ提示リストの並べ替えが行われる（８０３ｃ）。次に、ユーザに対してディスプレイ20画面上に、表面コイル・コイルモードリストが提示される（８０４）。
【００５０】
本発明によれば、使用可能な一部の表面コイル・コイルモードのみが表示される為、ＭＲＩ装置で使用可能な全表面コイル・コイルモードの中から、ユーザは容易に所望の表面コイルを選択することが出来る。
【符号の説明】
【００５１】
１…被検体、２…静磁場発生系、３…傾斜磁場発生系、４…シーケンサ、５…送信系、６…受信系、７…信号処理系、８…中央処理装置（ＣＰＵ）、９…傾斜磁場コイル、１０…傾斜磁場電源、１１…高周波発信器、１２…変調器、１３…高周波増幅器、１４ａ…高周波コイル（送信コイル）、１４b…高周波コイル（受信コイル）、１５…信号増幅器、１６…直交位相検波器、１７…Ａ／Ｄ変換器、１８…磁気ディスク、１９…光ディスク、２０…ディスプレイ、２１…ROM、２２…RAM、２３…トラックボール又はマウス、２４…キーボード、５２…テーブル。
【図１】
0005492033.tif 000002
【図２】
0005492033.tif 000003
【図３】
0005492033.tif 000004
【図４】
0005492033.tif 000005
【図５】
0005492033.tif 000006
【図６】
0005492033.tif 000007
【図７】
0005492033.tif 000008
【図８】
0005492033.tif 000009
【図９】
0005492033.tif 000010